(57)【要約】      （修正有）【課題】マルチ受信機無線送受信ユニット（ＷＴＲＵ）において周波数間測定および／または無線アクセス技術（ＲＡＴ）間測定を実行する方法を提供する。【解決手段】マルチＷＴＲＵは、同時に複数のダウンリンクキャリアを介して、ダウンリンク送信を受信する。ＷＴＲＵは、少なくとも１つの受信機が非アクティブである場合には、測定ギャップを用いずに、非アクティブな受信機を使用して、周波数間測定および／またはＲＡＴ間測定を実行する。【選択図】図２
2014207691.tif 000002
【特許請求の範囲】
【請求項１】
周波数間測定および／または無線アクセス技術（ＲＡＴ）間測定を実行するための、マルチ受信機無線送受信ユニット（ＷＴＲＵ）において実施される方法において、
複数の受信機の少なくとも１つを使用して、ダウンリンク送信を受信するステップと、
測定ギャップを用いずに、非アクティブな受信機を使用して、周波数間測定および／またはＲＡＴ間測定を実行するステップと
を含むことを特徴とする方法。
【請求項２】
使用不可キャリア上で測定命令を受け取るステップと、
物理層において前記使用不可キャリアの状態を使用不可に維持しながら、測定ギャップを用いずに、非アクティブな受信機を使用して、使用不可キャリア上で周波数間測定および／またはＲＡＴ間測定を実行するステップと
をさらに含むことを特徴とする請求項１に記載の方法。
【請求項３】
キャリアを活動化するためのアクティベーション命令を受け取るステップと、
前記活動化を命令されたキャリア上でのダウンリンク受信および／またはアップリンク送信を活動化するステップと、
非アクティブな受信機が存在しない条件で、測定ギャップを用いて、周波数間測定および／またはＲＡＴ間測定を実行するステップと
をさらに含むことを特徴とする請求項１に記載の方法。
【請求項４】
前記測定ギャップは、ダウンリンクキャリア上に構成され、アップリンクキャリア上には構成されないことを特徴とする請求項３に記載の方法。
【請求項５】
前記測定ギャップは、ペアをなさないダウンリンクキャリア上に構成され、ペアをなすダウンリンクキャリア上には構成されないことを特徴とする請求項３に記載の方法。
【発明の詳細な説明】
【背景技術】
【０００１】
デュアルセル高速ダウンリンクパケットアクセス（ＨＳＤＰＡ）が、高速パケットアクセス（ＨＳＰＡ）システムの継続的な進化の一環として、第３世代パートナーシッププロジェクト（３ＧＰＰ）リリース８において導入された。この特徴は、高速チャネルにおける２つの隣接キャリア上での同時ダウンリンク（ＤＬ）送受信を可能にする。３ＧＰＰリリース９の一環として、この特徴は、非隣接ＤＬキャリア（例えば異なる周波数帯域にあるキャリア）上でのＤＬ送受信をサポートするように拡張された。非隣接キャリア上での同時受信をサポートできる能力は、別個のＲＦ受信機を含む無線送受信ユニット（ＷＴＲＵ）の無線周波数（ＲＦ）設計に大きな影響を与える。
【発明の概要】
【発明が解決しようとする課題】
【０００２】
周波数間ハンドオーバおよび無線アクセス技術（ＲＡＴ）間ハンドオーバをサポートするため、ＷＴＲＵは、他の周波数および／または他のＲＡＴにおいて測定を実行し、測定値を無線アクセスネットワークに報告する。ＷＴＲＵが単一のＲＦ受信機を備える場合、ＷＴＲＵは、測定ギャップの間に、周波数間測定および／またはＲＡＴ間測定を実行する。測定ギャップの間は、ＷＴＲＵへのダウンリンク送信が中断され、ＷＴＲＵは、他の周波数および／または他のＲＡＴに自らのＲＦ受信機を同調させて、周波数間測定および／またはＲＡＴ間測定を実行することが可能になる。３ＧＰＰのユニバーサル移動体通信システム（ＵＭＴＳ）無線通信システムでは、これらの測定ギャップは、圧縮モード（ＣＭ）ギャップと呼ばれる。現行の３ＧＰＰ  ＵＭＴＳ仕様によれば、ＣＭギャップの間は、ＤＬ受信とＵＬ送信の両方が中断され、これがサービスの低下を引き起こす。
【課題を解決するための手段】
【０００３】
周波数間測定および／または無線アクセス技術（ＲＡＴ）間測定を実行するための方法および装置が開示される。マルチ受信機無線送受信ユニット（ＷＴＲＵ）は、同時に複数のダウンリンクキャリアを介して、ダウンリンク送信を受信することができる。ＷＴＲＵは、少なくとも１つの受信機が非アクティブである場合には、測定ギャップを用いずに、非アクティブな受信機を使用して、周波数間測定および／またはＲＡＴ間測定を実行することができる。ＷＴＲＵが、使用不可キャリア（ｄｉｓａｂｌｅｄ  ｃａｒｒｉｅｒ）上で測定命令を受け取った場合、ＷＴＲＵは、物理層において使用不可キャリアの状態を使用不可に維持しながら、非アクティブな受信機を使用して、測定ギャップを用いずに、使用不可キャリア上で測定を実行することができる。ＷＴＲＵは、トリガ条件が満たされ、少なくとも１つの受信機が非アクティブである条件下で、自律的に周波数間測定および／またはＲＡＴ間測定の実行を行うことができる。
【０００４】
すべての受信機がアクティブである場合、ＷＴＲＵは、測定ギャップを使用して、測定を実行することができ、測定ギャップは、ダウンリンクキャリア上には構成できるが、アップリンクキャリア上には構成されず、または代替として、ペアをなさないダウンリンクキャリア上には構成できるが、ペアをなすダウンリンクキャリア上には構成されず、または代替として、関連付けられたダウンリンクアップリンクキャリアペアのサブセット上に構成することもできる。
【０００５】
その識別情報がリスト内に存在する検出されたホームノードＢ（ＨＮＢ）／進化型ＨＮＢ（ｅＨＮＢ）セルの付近にＷＴＲＵが所在する条件下で、ＷＴＲＵは、近接通知（ｐｒｏｘｉｍｉｔｙ  ｉｎｄｉｃａｔｉｏｎ）を送信することができ、少なくとも１つの非アクティブな受信機および／または自律的ギャップを用いて構成を行いながら、検出されたＨＮＢ／ｅＨＮＢセルの周波数キャリアまたはＲＡＴにおいて周波数間測定および／またはＲＡＴ間測定を実行することができる。
【発明の効果】
【０００６】
以上説明したように、現行の３ＧＰＰ  ＵＭＴＳ仕様において、ＣＭギャップの間が、ＤＬ受信とＵＬ送信の両方が中断されこれによってサービスの低下を引き起こす問題を解決する。
【図面の簡単な説明】
【０００７】
【図１Ａ】１つまたは複数の開示される実施形態を実施できる例示的な通信システムのシステム図である。
【図１Ｂ】図１Ａに示された通信システム内で使用できる例示的な無線送受信ユニット（ＷＴＲＵ）のシステム図である。
【図１Ｃ】図１Ａに示された通信システム内で使用できる例示的な無線アクセスネットワークおよび例示的なコアネットワークのシステム図である。
【図２】一実施形態による、ＤＬキャリア上に測定ギャップを有する、例示的ダウンリンク（ＤＬ）およびアップリンク（ＵＬ）キャリア構成を示す図である。
【図３】別の実施形態による、ＤＬキャリア上に測定ギャップを有する、例示的ＤＬおよびＵＬキャリア構成を示す図である。
【図４】一代替的実施形態による、ＤＬキャリア上に測定ギャップを有する、例示的ＤＬおよびＵＬキャリア構成を示す図である。
【図５Ａ】一実施形態による、自律的な周波数間測定および／またはＲＡＴ間測定についての例示的プロセスのフロー図である。
【図５Ｂ】一実施形態による、自律的な周波数間測定および／またはＲＡＴ間測定を実行する例示的プロセスのフロー図である。
【図６Ａ】別の実施形態による、周波数間測定および／またはＲＡＴ間測定を実行する例示的プロセスのフロー図である。
【図６Ｂ】別の実施形態による、周波数間測定および／またはＲＡＴ間測定を実行する例示的プロセスのフロー図である。
【発明を実施するための形態】
【０００８】
図１Ａは、１つまたは複数の開示される実施形態を実施できる例示的な通信システム１００の図である。通信システム１００は、音声、データ、ビデオ、メッセージング、放送などのコンテンツを複数の無線ユーザに提供する多元接続システムとすることができる。通信システム１００は、複数の無線ユーザが、無線帯域幅を含むシステムリソースの共用を通して、そのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０００９】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができる。開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例を挙げると、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、および家電製品などを含むことができる。
【００１０】
通信システム１００は、基地局１１４ａおよび基地局１１４ｂも含むことができる。基地局１１４ａ、１１４ｂの各々は、ＷＴＲＵ１０２ａ、１０２ｂ、１０２ｃ、１０２ｄの少なくとも１つと無線でインタフェースを取って、コアネットワーク１０６、インターネット１１０、および／またはネットワーク１１２などの１つまたは複数の通信ネットワークへのアクセスを円滑化するように構成された、任意のタイプのデバイスとすることができる。例を挙げると、基地局１１４ａ、１１４ｂは、送受信機基地局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１１】
基地局１１４ａは、ＲＡＮ  １０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示せず）も含むことができる。基地局１１４ａおよび／または基地局１１４ｂは、セル（図示せず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、送受信機を３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数の送受信機を利用することができる。
【００１２】
基地局１１４ａ、１１４ｂは、エアインタフェース１１６を介して、ＷＴＲＵ１０２ａ、１０２ｂ、１０２ｃ、１０２ｄの１つまたは複数と通信することができ、エアインタフェース１１６は、任意の適切な無線通信リンク（例えば、無線周波（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立することができる。
【００１３】
より具体的には、上で言及したように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインタフェース１１６を確立できる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１４】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、進化型ＵＭＴＳ地上無線アクセス（Ｅ−ＵＴＲＡ）などの無線技術を実装することができる。
【００１５】
他の実施形態では、基地局１１４ａ、およびＷＴＲＵ１０２ａ、１０２ｂ、１０２ｃは、ＩＥＥＥ  ８０２．１６（すなわちマイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、およびＧＳＭ  ＥＤＧＥ（ＧＥＲＡＮ）などの無線技術を実装することができる。
【００１６】
図１Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を円滑化するための任意の適切なＲＡＴを利用することができる。一実施形態では、基地局１１４ｂ、およびＷＴＲＵ１０２ｃ、１０２ｄは、ＩＥＥＥ  ８０２．１１などの無線技術を実装して、無線ローカルエリアネットワーク（ＷＬＡＮ）を確立することができる。別の実施形態では、基地局１１４ｂ、およびＷＴＲＵ１０２ｃ、１０２ｄは、ＩＥＥＥ  ８０２．１５などの無線技術を実装して、無線パーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００１７】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信できることが理解されよう。例えば、Ｅ−ＵＴＲＡ無線技術を利用できるＲＡＮ１０４に接続するのに加えて、コアネットワーク１０６は、ＧＳＭ無線技術を利用する別のＲＡＮ（図示せず）と通信することもできる。
【００１８】
コアネットワーク１０６は、ＰＳＴＮ１０８、インターネット１１０、および／または他のネットワーク１１２にアクセスするためのＷＴＲＵ１０２ａ、１０２ｂ、１０２ｃ、１０２ｄのためのゲートウェイとして機能することもできる。ＰＳＴＮ１０８は、基本電話サービス（ＰＯＴＳ）を提供する回路交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１つまたは複数のＲＡＮに接続された、別のコアネットワークを含むことができる。
【００１９】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数の送受信機を含むことができる。例えば、図１Ａに示されたＷＴＲＵ１０２ｃは、セルラベースの無線技術を利用できる基地局１１４ａと通信するように、またＩＥＥＥ  ８０２無線技術を利用できる基地局１１４ｂと通信するように構成することができる。
【００２０】
図１Ｂは、例示的なＷＴＲＵ１０２のシステム図である。図１Ｂに示されるように、ＷＴＲＵ１０２は、プロセッサ１１８と、送受信機ユニット１２０と、送信／受信要素１２２と、スピーカ／マイクロフォン１２４と、キーパッド１２６と、ディスプレイ／タッチパッド１２８と、着脱不能メモリ１０６と、着脱可能メモリ１３２と、電源１３４と、全地球測位システム（ＧＰＳ）チップセット１３６と、他の周辺機器１３８とを含むことができる。ＷＴＲＵ１０２は、一実施形態との整合性を保ちながら、上記の要素の任意の部分的な組み合わせを含むことができる。
【００２１】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態マシーンなどとすることができる。プロセッサ１１８は、信号符号化、データ処理、電力制御、入出力処理、および／またはＷＴＲＵ  １０２が無線環境で動作できるようにする他の任意の機能を実行することができる。プロセッサ１１８は、送受信機１２０に結合することができ、送受信機１２０は、送信／受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合できることが理解されよう。
【００２２】
送信／受信要素１２２は、エアインタフェース１１６を介して、基地局（例えば基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶまたは可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成できることが理解されよう。
【００２３】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインタフェース１１６を介して無線信号を送信および受信するための２つ以上の送信／受信要素１２２（例えば複数のアンテナ）を含むことができる。
【００２４】
送受信機１２０は、送信／受信要素１２２によって送信される信号を変調し、送信／受信要素１２２によって受信された信号を復調するように構成することができる。上で言及したように、ＷＴＲＵ１０２は、マルチモード機能を有することができる。したがって、送受信機１２０は、ＷＴＲＵ１０２が、例えばＵＴＲＡおよびＩＥＥＥ  ８０２．１１などの複数のＲＡＴを介して通信できるようにするための、複数の送受信機を含むことができる。例えば、送受信機１２０は、ＷＴＲＵ１０２が同時に２つ以上の隣接または非隣接周波数キャリアを受信できるように、少なくとも１つのＲＦ送信機と、複数のＲＦ受信機とを含むことができる。このマルチ受信機機能は、複数の独立したＲＦ受信機を実装することによって、または複数のキャリアを処理することが可能な単一の高度なＲＦ受信機を使用することによって、または他の任意の手段によって実現することができる。
【００２５】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１０６および／または着脱可能メモリ１３２など、任意のタイプの適切なメモリから情報を入手することができ、それらにデータを記憶することができる。着脱不能メモリ１０６は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ１０２上に物理的に配置されたメモリではなく、サーバまたはホームコンピュータ（図示せず）などの上に配置されたメモリから情報を入手することができ、それらにデータを記憶することができる。
【００２６】
プロセッサ１１８は、電源１３４から電力を受け取ることができ、ＷＴＲＵ１０２内の他のコンポーネントへの電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２７】
プロセッサ１１８は、ＧＰＳチップセット１３６に結合することもでき、ＧＰＳチップセット１３６は、ＷＴＲＵ１０２の現在位置に関する位置情報（例えば経度および緯度）を提供するように構成することができる。ＧＰＳチップセット１３６からの情報に加えて、またはその代わりに、ＷＴＲＵ１０２は、基地局（例えば基地局１１４ａ、１１４ｂ）からエアインタフェース１１６を介して位置情報を受け取ることができ、および／または２つ以上の近くの基地局から受信した信号のタイミングに基づいて、自らの位置を決定することができる。ＷＴＲＵ１０２は、一実施形態との整合性を保ちながら、任意の適切な位置決定方法を用いて、位置情報を獲得できることが理解されよう。
【００２８】
プロセッサ１１８は、他の周辺機器１３８にさらに結合することができ、他の周辺機器１３８は、追加的な特徴、機能、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、ＦＭラジオユニット、デジタル音楽プレーヤ、メディアプレーヤ、ビデオゲームプレーヤモジュール、およびインターネットブラウザなどを含むことができる。
【００２９】
図１Ｃは、一実施形態による、ＲＡＮ１０４およびコアネットワーク１０６のシステム図である。上で言及したように、ＲＡＮ１０４は、ＵＴＲＡ無線技術を利用して、エアインタフェース１１６を介してＷＴＲＵ１０２ａ、１０２ｂ、１０２ｃと通信することができる。ＲＡＮ１０４は、コアネットワーク１０６とも通信することができる。図１Ｃに示されるように、ＲＡＮ１０４は、ノードＢ１４０ａ、１４０ｂ、１４０ｃを含むことができ、ノードＢ１４０ａ、１４０ｂ、１４０ｃは、各々が、エアインタフェース１１６を介してＷＴＲＵ１０２ａ、１０２ｂ、１０２ｃと通信するための１つまたは複数の送受信機を含むことができる。ノードＢ１４０ａ、１４０ｂ、１４０ｃは、各々を、ＲＡＮ  １０４内の特定のセル（図示せず）に関連付けることができる。ＲＡＮ１０４は、ＲＮＣ  １４２ａ、１４２ｂも含むことができる。ＲＡＮ１０４は、一実施形態との整合性を保ちながら、任意の数のノードＢおよびＲＮＣを含むことができることが理解されよう。
【００３０】
図１Ｃに示されるように、ノードＢ１４０ａ、１４０ｂは、ＲＮＣ  １４２ａと通信することができる。加えて、ノードＢ１４０ｃは、ＲＮＣ１４２ｂと通信することができる。ノードＢ１４０ａ、１４０ｂ、１４０ｃは、Ｉｕｂインタフェースを介して、それぞれのＲＮＣ１４２ａ、１４２ｂと通信することができる。ＲＮＣ１４２ａ、１４２ｂは、Ｉｕｒインタフェースを介して、互いに通信することができる。ＲＮＣ１４２ａ、１４２ｂの各々は、それが接続されたそれぞれのノードＢ  １４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能を実施またはサポートするように構成することができる。
【００３１】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素は、どの１つをとっても、コアネットワーク運営体とは異なる主体によって所有および／または運営できることが理解されよう。
【００３２】
ＲＡＮ１０４内のＲＮＣ  １４２ａは、ＩｕＣＳインタフェースを介して、コアネットワーク１０６内のＭＳＣ１４６に接続することができる。ＭＳＣ１４６は、ＭＧＷ１４４に接続することができる。ＭＳＣ１４６とＭＧＷ１４４は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。
【００３３】
ＲＡＮ１０４内のＲＮＣ１４２ａは、ＩｕＰＳインタフェースを介して、コアネットワーク１０６内のＳＧＳＮ１４８にも接続することができる。ＳＧＳＮ１４８は、ＧＧＳＮ  １５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００３４】
上で言及したように、コアネットワーク１０６は、ネットワーク１１２にも接続することができ、ネットワーク１１２は、他のサービスプロバイダによって所有および／または運営される他の有線または無線ネットワークを含むことができる。
【００３５】
これ以降、３ＧＰＰ  ＵＭＴＳ無線通信システムと関連させて、実施形態が説明される。しかし、ロングタームエボリューション（ＬＴＥ）、ＬＴＥアドバンスト（ＬＴＥ−Ａ）、ＷｉＭａｘ、および他の任意の無線通信システムを含むが、それらに限定されない、モビリティをサポートするために周波数間測定および／またはＲＡＴ間測定が実行される任意の無線技術に、実施形態が適用可能であることに留意されたい。
【００３６】
これ以降、「マルチ受信機ＷＴＲＵ」という用語は、同時に２つ以上の隣接または非隣接周波数キャリア上で受信することが可能なＷＴＲＵを記述するために使用される。送信側では、マルチ受信機ＷＴＲＵは、単一の周波数キャリア上で、または同時に２つ以上の隣接または非隣接周波数キャリア上で送信する能力を有することができる。このマルチ受信機機能は、複数の独立したＲＦ受信機を実施することによって、または複数のキャリアを処理することが可能な単一の高度なＲＦ受信機を使用することによって、または他の任意の手段によって実現することができる。これ以降、「受信機」という用語は、独立したＲＦ受信機または単一の高度な受信機によって単一のキャリアを受信および処理するための、マルチ受信機ＷＴＲＵの能力を述べるために使用される。
【００３７】
マルチ受信機ＷＴＲＵのすべての受信機がアクティブである場合に、周波数間測定および／またはＲＡＴ間測定を実行するための実施形態が、これ以降で説明される。このケースの一例は、２つの受信機を有するデュアルバンドデュアルセルＨＳＤＰＡ対応のＷＴＲＵが、隣接または非隣接の２つのダウンリンクキャリア上で受信するように構成される場合である。
【００３８】
一実施形態によれば、少なくとも１つのＤＬキャリアが、関連付けられたＵＬキャリアを伴わずに構成される場合、測定ギャップ（例えば圧縮モード（ＣＭ）ギャップ）は、ＵＬ上でのいかなるギャップまたは中断も伴わずに、ＤＬ上に構成することができる。図２は、この実施形態による、ＤＬキャリア上に測定ギャップを有する、例示的なＤＬおよびＵＬキャリア構成を示している。この例では、ＷＴＲＵは、２つのＤＬキャリアと１つのＵＬキャリアを有するように構成される。ＷＴＲＵは、２つの受信機を含み、両方の受信機は、２つのＤＬキャリアを処理するためにアクティブである。第１のＤＬキャリアは、単一のＵＬキャリアに関連付けられ、第２のＤＬキャリアは、ペアをなさないキャリアである。図２に示されるように、測定ギャップは、ＵＬキャリア上でのいかなる測定ギャップも伴わずに、ペアをなさないＤＬキャリア上に構成することができる。あるいは、測定ギャップは、ペアをなすＤＬキャリアとそれに関連付けられたＵＬキャリアの両方の上に構成することができるが、ペアをなさないＤＬキャリア上には構成されない。加えて、測定ギャップは、ＤＬキャリアとＵＬキャリアのすべての上に、またはキャリアの任意の許容可能なサブセット上に構成することができる。ＤＬ測定ギャップの間、ＷＴＲＵは、周波数間測定および／またはＲＡＴ間測定を実行することができ、ノードＢは、測定ギャップが構成されたＤＬキャリア上での、ＷＴＲＵへのいかなる送信もスケジュールすることができない。
【００３９】
別の実施形態では、測定ギャップが、関連付けられたＵＬキャリアを有するＤＬキャリアに対して構成される場合、測定ギャップは、ＵＬキャリアとＤＬキャリアの両方に適用されることがあるが（例えば、ＣＭギャップはＵＬキャリアにも同じく適用される）、測定ギャップは、すべてのキャリアには適用されなくてよい（すなわち、関連付けられたダウンリンクアップリンクキャリアペアのサブセット上で適用される）。
【００４０】
図３は、この実施形態による、ＤＬキャリア上に測定ギャップを有する、例示的なＤＬおよびＵＬキャリア構成を示している。この例では、ＷＴＲＵは、２つのＤＬキャリアと２つのＵＬキャリアを有するように構成される。ＷＴＲＵは、２つの受信機を含み、両方の受信機は、２つのＤＬキャリアを処理するためにアクティブである。第１のＤＬキャリアは、第１のＵＬキャリアに関連付けられ、第２のＤＬキャリアは、第２のＵＬキャリアに関連付けられる。測定ギャップは、第２のＤＬキャリア上に構成され、ＷＴＲＵは、測定ギャップの間、関連付けられたＵＬキャリア（すなわち、この例では第２のＵＬキャリア）上で送信することができない。
【００４１】
測定ギャップの間、ＷＴＲＵは、周波数間測定および／またはＲＡＴ間測定を実行することができる。ノードＢは、測定ギャップが構成されたキャリア上での、ＷＴＲＵへのいかなる送信もスケジュールすることができない。ＷＴＲＵは、関連付けられたＵＬキャリアに従来のＣＭモード手順を適用することができ、測定ギャップの間、送信することができない。
【００４２】
複数のＤＬキャリアが測定ギャップのために構成され、少なくとも１つのＤＬキャリアが関連付けられたＵＬキャリアを有し、少なくとも１つのＤＬキャリアが関連付けられたＵＬキャリアを有さない場合、上記の２つの実施形態の組み合わせを実施することができる。図４は、一代替的実施形態による、ＤＬキャリア上に測定ギャップを有する、例示的なＤＬおよびＵＬキャリア構成を示している。この例では、ＷＴＲＵは、３つのＤＬキャリアと２つのＵＬキャリアを有するように構成される。ＷＴＲＵは、３つの受信機を含み、すべての受信機は、３つのＤＬキャリアを処理するためにアクティブである。第１のＤＬキャリアは、第１のＵＬキャリアに関連付けられ、第２のＤＬキャリアは、第２のＵＬキャリアに関連付けられ、第３のＤＬキャリアは、ペアをなしていない。測定ギャップは、第２および第３のＤＬキャリア上に構成され、ＷＴＲＵは、測定ギャップの間、第２のＤＬキャリアに関連付けられた第２のＵＬキャリア上で送信することができない。
【００４３】
上記の実施形態のすべてについて、ＷＴＲＵは、ネットワークからの明示的または暗黙的な通知に基づいて、測定ギャップのために構成されるキャリアを決定することができる。通知は、測定ギャップを構成するためのより高位レイヤの構成メッセージ（例えば、ＣＭギャップ構成情報を伝える無線リソース制御（ＲＲＣ）メッセージ）を介して受け取ることができる。
【００４４】
あるいは、測定ギャップのために選択されるキャリアは、事前に決定しておくことができる。例えば、測定ギャップを構成する際、ＷＴＲＵは、事前決定されたキャリア（例えば補助（またはセカンダリ）キャリア）に測定ギャップを適用し、他のＵＬおよびＤＬキャリア（例えばアンカ（またはプライマリ）キャリア）を完全な送受信モードに保つことができる。アンカ（またはプライマリ）キャリアは、ダウンリンク／アップリンク送信のための特定の１組の制御情報を伝えるキャリアとして定義することができる。アンカ（またはプライマリ）キャリアとして割り当てられないキャリアはいずれも、補助（またはセカンダリ）キャリアとすることができる。
【００４５】
測定ギャップのために複数のキャリアが選択できる場合、キャリアは、事前定義されたペアリング規則に基づいて決定することができる。例えば、それぞれ、２つの異なる周波数帯域において、２つの隣接キャリアが構成される（すなわち、合計４つのキャリアが構成される）場合、測定ギャップは、指定された周波数帯域内のすべてのキャリア（例えば、この例では、一方の周波数帯域内の２つの隣接キャリア）に適用することができる。
【００４６】
特定のキャリアを使用不可にすることによって、そのキャリア上で周波数間測定および／またはＲＡＴ間測定の実行を開始するように、ＷＴＲＵに指示することができる。キャリアの使用不可は、例えば、高速共用制御チャネル（ＨＳ−ＳＣＣＨ）命令もしくはより高位層のシグナリング（例えばＲＲＣメッセージ）、または任意のプロトコル層における任意のタイプのシグナリングもしくはメッセージを介して、ＷＴＲＵに通知することができる。特定のＤＬキャリアが使用不可にされた場合、ＷＴＲＵは、使用不可キャリア上での受信を停止し、使用不可キャリアのために使用されていた利用可能な受信機を使用して、周波数間測定および／またはＲＡＴ間測定を実行することができる。
【００４７】
マルチ受信機ＷＴＲＵの少なくとも１つの受信機が非アクティブである場合に、周波数間測定および／またはＲＡＴ間測定を実行するための実施形態が、これ以降で説明される。このケースの一例は、２つの受信機を有するデュアルバンドデュアルセルＨＳＤＰＡ対応のＷＴＲＵが、シングルキャリアＨＳＤＰＡを用いて動作するように構成される場合である。
【００４８】
一実施形態によれば、アクティブな受信機に対して測定ギャップを構成しなくてよく、ＷＴＲＵは、非アクティブな受信機を使用して、周波数間測定および／またはＲＡＴ間測定を実行することができる。ＷＴＲＵは、非アクティブな受信機を使用して、周波数間測定および／またはＲＡＴ間測定を継続的に実行することができる。この場合、周波数間測定および／またはＲＡＴ間測定を実行するために、測定ギャップを構成しなくてよい。
【００４９】
キャリア（アクティベーション：activation）活動化および非活動化は、（例えば、ＨＳ−ＳＣＣＨ命令などの物理層シグナリングを介して）ノードＢによって制御され、測定ギャップは、ＲＲＣメッセージを用いて、無線ネットワークコントローラ（ＲＮＣ）によってスケジュールされるので、ＷＴＲＵは、使用不可キャリア上で、ＲＮＣから、周波数間測定および／またはＲＡＴ間測定命令を受け取ることができる。ＤＬキャリアが使用不可にされ、ＷＴＲＵが、使用不可キャリア上で周波数間測定および／またはＲＡＴ間測定を実行するための測定ギャップ構成を有する指示を受け取った場合、ＷＴＲＵは、物理層（Ｌ１）におけるキャリアの状態を「使用不可」に維持し、そのキャリアに先に関連付けられた受信機、または他の任意の利用可能な受信機（アクティブなチャネルに割り当てられていない受信機）を使用して、いかなる測定ギャップも用いずに、周波数間測定および／またはＲＡＴ間測定を実行することができる。
【００５０】
（例えば、ＨＳ−ＳＣＣＨ命令などのＬ１シグナリング、または他の任意のシグナリングもしくはメッセージを介して）使用不可キャリアが再活動化され、その結果、その使用不可キャリア上で周波数間測定および／またはＲＡＴ間測定を実行するようにＷＴＲＵがスケジュールされている間に、すべての受信機がアクティブになった場合、ＷＴＲＵは、その使用不可キャリア上でのＤＬ受信および／またはＵＬ送信を活動化することができ、すべての受信機がアクティブである場合について上で開示された実施形態のいずれか１つに従って、周波数間測定および／またはＲＡＴ間測定を実行することができる。
【００５１】
シグナリング負荷を低減するため、少なくとも１つの受信機が非アクティブである場合に、ＷＴＲＵが自律的に周波数間測定および／またはＲＡＴ間測定を開始および報告できるように、ネットワークは、閾値およびタイマを事前設定し、周波数間測定および／またはＲＡＴ間測定を開始および報告するためのイベントを構成することができる。この実施形態では、ＷＴＲＵは、トリガ条件が満たされると、自律的に周波数間測定および／またはＲＡＴ間測定を開始することができ、測定ギャップを用いるまたは用いない周波数間測定／ＲＡＴ間測定命令を取得するために、サービングセルの信号品質の低下などについてネットワークに通知しなくてよく、したがって、測定命令／報告サイクルがスピードアップされる。
【００５２】
図５Ａおよび図５Ｂは、一実施形態による、自律的な周波数間測定および／またはＲＡＴ間測定のための例示的なプロセス５００のフロー図である。ＷＴＲＵは、少なくとも１つの非アクティブな受信機が存在するかどうかを判定する（５０２）。存在する場合、ＷＴＲＵは、トリガ条件が満たされているかどうかを判定する（５０４）。非アクティブな受信機が存在しない場合、またはトリガ条件が満たされていない場合、ＷＴＲＵは、自律的な測定を実行することができない（５２０）。少なくとも１つの非アクティブな受信機が存在し、かつトリガ条件が満たされている場合、ＷＴＲＵは、自律的に周波数間測定および／またはＲＡＴ間測定を開始し、測定値をネットワークに報告することができる（５０６）。ＷＴＲＵがキャリアに対するアクティベーション命令を受け取り（５０８）、非アクティブな受信機が存在しない場合（５１０）、ＷＴＲＵは、活動化されるキャリア上での自律的な周波数間測定／ＲＡＴ間測定を停止し、そのキャリア上での受信および／またはＵＬ送信を活動化することができ、ＷＴＲＵのすべての受信機がアクティブである場合について上で説明された実施形態のいずれか１つに従って、周波数間測定および／またはＲＡＴ間測定を実行することができる（５１２）。
【００５３】
さらなる非アクティブな受信機が存在する場合（５１０）、さらなる非アクティブな受信機がそのキャリア上で動作することが可能であるかどうかが判定される（５１４）。５１４における判定が肯定的である場合、ＷＴＲＵは、そのキャリア上での自律的な周波数間測定および／またはＲＡＴ間測定を停止し、そのキャリア上でのＤＬ受信および／またはＵＬ送信を活動化し、トリガ条件がまだ満たされていれば、利用可能な非アクティブな受信機を用いて、測定ギャップを用いずに、測定を構成し、継続することができる（５１６）。
【００５４】
５１４における判定が否定的である場合、ＷＴＲＵは、自律的な周波数間測定および／またはＲＡＴ間測定を停止し、アクティブなキャリア上での測定ギャップを用いる測定要求のためのより高位層の構成メッセージを待ち、すべての受信機がアクティブである場合について上で開示された実施形態のいずれか１つに従って、周波数間測定および／またはＲＡＴ間測定を実行することができる（５１８）。
【００５５】
ホームノードＢ（ＨＮＢ）または進化型ＨＮＢ（ｅＨＮＢ）を顧客構内に配置して、マクロノードＢのトラフィック負荷を軽減し、より優れたリンク品質および性能を提供することができる。ＨＮＢ／ｅＨＮＢへのアクセスは、ＨＮＢ／ｅＨＮＢセル識別情報、被呼側の限定加入者グループ（ＣＳＧ）識別情報（ＩＤ）に基づいている。マクロノードＢからＨＮＢまたはｅＨＮＢへのモビリティをサポートするため、そのＣＳＧ  ＩＤがネットワークによって提供されたリスト内に存在するＨＮＢ／ｅＨＮＢセルの付近にＷＴＲＵが所在することをＷＴＲＵが検出した場合、ＷＴＲＵは、ネットワークに近接通知を送信することができる。近接通知は、検出したＨＮＢ／ｅＨＮＢセルのＲＡＴおよび周波数を含むことができる。近接通知を受信した後、ネットワーク（例えば無線ネットワークコントローラ（ＲＮＣ））は、ＨＮＢ／ｅＨＮＢセルを測定するために、報告されたキャリアまたはＲＡＴ上での測定を構成することができる。ＷＴＲＵが報告された周波数およびＲＡＴ上での測定を実行できるように、測定ギャップ（例えばＣＭギャップ）を活動化することができる。ＷＴＲＵは、ネットワークに測定レポートを送信し、ネットワークは、システム情報（ＳＩ）獲得を実行し、ＳＩを報告するように、ＷＴＲＵを構成することができる。ＷＴＲＵは、自律的なギャップを使用して、ＳＩ獲得を実行することができる。自律的なギャップは、ＷＴＲＵによってスケジュールされる。ＷＴＲＵは、サービングセルとの送受信を一時中断して、ターゲットＨＮＢ／ｅＨＮＢから関連するＳＩを獲得することができる。
【００５６】
一実施形態によれば、ＷＴＲＵが、ノードＢの自律的なサーチ（例えばＨＮＢまたはｅＨＮＢ検出）を実行することが可能である場合、周波数間測定および／またはＲＡＴ間測定は、ユーザによって手動で開始することができる。図６Ａおよび図６Ｂは、一実施形態による、測定を実行するための例示的なプロセス６００のフロー図である。そのＣＳＧ  ＩＤがネットワークによって提供されたＷＴＲＵのリスト内に存在するＨＮＢ／ｅＨＮＢセルの付近にＷＴＲＵが所在することをＷＴＲＵが検出した場合、ＷＴＲＵは、ネットワークに近接通知を送信する（６０２）。ノードＢに近接通知を送信した後、ＷＴＲＵは、ネットワークからのギャップ構成を待つことができる。自律的なギャップがサポートされ、ＷＴＲＵのすべての受信機がアクティブである場合、ＷＴＲＵは、自律的なギャップを適切に構成している間に、ＷＴＲＵのすべての受信機がアクティブである場合について上で開示されたいずれかの実施形態に従って、周波数間測定および／またはＲＡＴ間測定を実行することができる（６０４）。１つまたは複数の受信機が利用可能である場合、周波数間測定および／またはＲＡＴ間測定を開始するために、測定ギャップを必要としなくてよい。
【００５７】
ＷＴＲＵは、周波数間測定および／またはＲＡＴ間測定を自律的に実行している間に、キャリアまたは受信機に対するアクティベーション命令を受け取る（６０６）。アクティベーション命令が特定のキャリア／帯域上で動作することが可能な受信機に対するものかどうか、また他の非アクティブ受信機がそのキャリア／帯域上で動作することが可能であるかどうかが判定される（６０８）。
【００５８】
６０８における判定が否定的である場合、自律的なギャップがサポートされるかどうかがさらに判定される（６１０）。ステップ６１０においてサポートされないと判定された場合、ＷＴＲＵは、進行中の周波数間測定および／またはＲＡＴ間測定を停止し、指令されたキャリアについてのＤＬ受信および／またはＵＬ送信を活動化し、ネットワークから測定ギャップ構成を取得するために近接レポートを自律的に送信することができ、ギャップ構成を受け取ると、ＷＴＲＵは、ＷＴＲＵのすべての受信機がアクティブである場合について上で開示された実施形態のいずれか１つに基づいて、周波数間測定および／またはＲＡＴ間測定を実行することができる（６１２）。
【００５９】
自律的なギャップがサポートされる場合（６１０）、ＷＴＲＵは、進行中の周波数間測定および／またはＲＡＴ間測定を停止し、命令されたキャリアについてのＤＬ受信および／またはＵＬ送信を活動化し、自律的なギャップを構成し、残りの受信機の１つを使用して以前の測定を続行することができる（６１４）。
【００６０】
６０８における判定が肯定的である場合、ＷＴＲＵは、進行中の測定を停止し、命令されたキャリアについてのＤＬ受信および／またはＵＬ送信を活動化し、非アクティブな受信機の１つを使用して、ギャップを用いずに、測定を続行することができる（６１６）。
【００６１】
ＷＴＲＵは、そのマルチ受信機機能（例えば、１つまたは複数のキャリア上での送受信を継続しながら、周波数間測定および／またはＲＡＴ間測定を実行する能力）を、ネットワークに通知することができる。ＷＴＲＵは、より高位レイヤのシグナリング（例えばＲＲＣメッセージ）内に新しい機能情報要素を含ませて、特定のマルチ受信機機能を通知することができる。
【００６２】
あるいは、ネットワークは、ＷＴＲＵの他の機能通知から、ＷＴＲＵがそのようなマルチ受信機機能を有することを推測することができる。例えば、ネットワークは、デュアルバンドデュアルセルＨＳＤＰＡのサポートを通知するすべてのＷＴＲＵは、他のキャリア上での送受信を継続しながら、周波数間測定および／またはＲＡＴ間測定を実行することも可能であることを推測することができる。あるいは、マルチ受信機機能を有するＷＴＲＵのために、新しいＷＴＲＵクラスを定義することができる。
【００６３】
マルチ受信機機能は、ネットワークによって常時サポートされなくても良く、ネットワークは、ＷＴＲＵのマルチ受信機機能を選択的に活動化および非活動化することができる。一実施形態によれば、ＷＴＲＵは、ネットワークによって別途命令されない限り、デフォルトモードによって要求されるように（例えば、３ＧＰＰリリース８において要求されるように）動作することができる。ＷＴＲＵが、ネットワークによって、マルチ受信機機能を用いて動作するように命令された場合、ＷＴＲＵは、本明細書で開示されたいずれかの実施形態に従って動作することができる。
【００６４】
あるいは、本明細書で開示された実施形態のいずれか１つに従って動作するようにＷＴＲＵを構成するために、新しいタイプの構成コマンド（例えばＲＲＣメッセージ）を定義することができる。それによってＷＴＲＵは、この新しいタイプの構成コマンドを受信すると、本明細書で開示された実施形態に従って、周波数間測定および／またはＲＡＴ間測定、ならびに関連する動作を実行することができる。あるいは、ネットワークは、ＷＴＲＵが本明細書で開示された実施形態に従って動作できるように、活動化コマンドを（例えばＲＲＣメッセージを介して）送信することができる。
【００６５】
ターゲットセルへのハンドオーバ後、本明細書で開示されたいずれかの実施形態に従った、周波数間測定および／またはＲＡＴ間測定、ならびに関連する動作は、ターゲットセルにおいてサポートされないことがある。一実施形態によれば、ＷＴＲＵは、別途命令されるまで、デフォルトモード（例えば、３ＧＰＰリリース８に従った動作）に戻ることができる。あるいは、ハンドオーバコマンドは、必要な構成情報を含むことができ、ＷＴＲＵは、ハンドオーバコマンドによって命令されたように、自らを構成することができる。あるいは、ＷＴＲＵは、ネットワークアウェア（ｎｅｔｗｏｒｋ−ａｗａｒｅ）とすることができ、サービングノードＢの能力に基づいて、自らを構成することができる。
【００６６】
上では特徴および要素を特定の組み合わせで説明したが、各特徴または要素は単独で、または他の特徴および要素との任意の組み合わせで使用できることを当業者であれば理解されよう。加えて、本明細書で説明した方法は、コンピュータまたはプロセッサによって実行する、コンピュータ読取り可能媒体内に包含された、コンピュータプログラム、ソフトウェア、またはファームウェアで実施することができる。コンピュータ読取り可能媒体の例は、（有線接続または無線接続を介して送信される）電子信号と、コンピュータ可読記憶媒体とを含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアと連携するプロセッサは、ＷＴＲＵ、ＵＥ、端末、基地局、ＲＮＣ、または任意のホストコンピュータにおいて使用する無線周波数送受信機を実施するために使用することができる。
【００６７】
実施形態
実施形態１。周波数間測定および／または無線アクセス技術（ＲＡＴ）間測定を実行するための、マルチ受信機無線送受信ユニット（ＷＴＲＵ）において実施される方法であって、
複数の受信機の少なくとも１つを使用して、ダウンリンク送信を受信するステップと、
測定ギャップを用いずに、非アクティブな受信機を使用して、周波数間測定および／またはＲＡＴ間測定を実行するステップと
を含む方法。
【００６８】
実施形態２。使用不可キャリア上で測定命令を受け取るステップと、
物理層において使用不可キャリアの状態を使用不可に維持しながら、測定ギャップを用いずに、非アクティブな受信機を使用して、使用不可キャリア上で周波数間測定および／またはＲＡＴ間測定を実行するステップと
をさらに含む、実施形態１に記載の方法。
【００６９】
実施形態３。キャリアを活動化するためのアクティベーション命令を受け取るステップと、
活動化を命令されたキャリア上でのダウンリンク受信および／またはアップリンク送信を活動化するステップと、
非アクティブな受信機が存在しない条件で、測定ギャップを用いて、周波数間測定および／またはＲＡＴ間測定を実行するステップと
をさらに含む、実施形態１に記載の方法。
【００７０】
実施形態４。測定ギャップは、ダウンリンクキャリア上に構成され、アップリンクキャリア上には構成されない、実施形態３に記載の方法。
【００７１】
実施形態５。測定ギャップは、ペアをなさないダウンリンクキャリア上に構成され、ペアをなすダウンリンクキャリア上には構成されない、実施形態３に記載の方法。
【００７２】
実施形態６。測定ギャップは、関連付けられたダウンリンクアップリンクキャリアペアのサブセット上に構成される、実施形態３に記載の方法。
【００７３】
実施形態７。周波数間測定および／またはＲＡＴ間測定についてのトリガ条件が満たされているかどうかを判定するステップと、
トリガ条件が満たされ、少なくとも１つの受信機が非アクティブである条件で、自律的に周波数間測定および／またはＲＡＴ間測定を実行するステップと
をさらに含む、実施形態１に記載の方法。
【００７４】
実施形態８。キャリアに対するアクティベーション命令を受け取るステップと、
さらなる非アクティブな受信機が存在しない条件で、または、さらなる非アクティブな受信機が活動化を命令されたキャリア上で動作することが可能でない条件で、活動化を命令されたキャリア上での自律的な周波数間測定／ＲＡＴ間測定を停止し、活動化を命令されたキャリア上でのダウンリンク受信および／またはアップリンク送信を活動化し、測定ギャップを用いて、周波数間測定および／またはＲＡＴ間測定を実行するステップと
をさらに含む、実施形態７に記載の方法。
【００７５】
実施形態９。さらなる非アクティブな受信機が活動化を命令されたキャリア上で動作することが可能であり、トリガ条件がまだ満たされている条件で、活動化を命令されたキャリア上での自律的な周波数間測定および／またはＲＡＴ間測定を停止し、活動化を命令されたキャリア上でのダウンリンク受信および／またはアップリンク送信を活動化し、さらなる非アクティブな受信機を用い、測定ギャップを用いずに、自律的な周波数間測定および／またはＲＡＴ間測定を続行するステップ
をさらに含む、実施形態８に記載の方法。
【００７６】
実施形態１０。周波数間測定および／または無線アクセス技術（ＲＡＴ）間測定を実行するための、マルチ受信機無線送受信ユニット（ＷＴＲＵ）において実施される方法であって、
ホームノードＢ（ＨＮＢ）／進化型ＨＮＢ（ｅＨＮＢ）セルを検出するステップと、
その識別情報がリスト内に存在する検出されたＨＮＢ／ｅＨＮＢセルの付近にＷＴＲＵが所在する条件下で、近接通知を送信するステップと、
自律的なギャップを構成している間に、検出されたＨＮＢ／ｅＨＮＢセルの周波数キャリアまたはＲＡＴ上で周波数間測定および／またはＲＡＴ間測定を実行するステップと
を含む方法。
【００７７】
実施形態１１。周波数間測定および／または無線アクセス技術（ＲＡＴ）間測定を実行するための、マルチ受信機無線送受信ユニット（ＷＴＲＵ）であって、
同時に少なくとも２つのダウンリンクキャリアを介して受信するように構成された送受信機と、
測定ギャップを用いずに、非アクティブな受信機を使用して、周波数間測定および／またはＲＡＴ間測定を実行するために、送受信機を制御するように構成されたプロセッサと
を備えるＷＴＲＵ。
【００７８】
実施形態１２。プロセッサは、使用不可キャリア上で測定命令を受け取り、物理層において使用不可キャリアの状態を使用不可に維持しながら、非アクティブな受信機を使用して、測定ギャップを用いずに、使用不可キャリア上で周波数間測定および／またはＲＡＴ間測定を実行するように構成される、実施形態１１のＷＴＲＵ。
【００７９】
実施形態１３。プロセッサは、キャリアを活動化するためのアクティベーション命令を受け取った後、活動化を命令されたキャリア上でのダウンリンク受信および／またはアップリンク送信を活動化し、非アクティブな受信機が存在しない条件で、測定ギャップを用いて、周波数間測定および／またはＲＡＴ間測定を実行するように構成される、実施形態１１のＷＴＲＵ。
【００８０】
実施形態１４。測定ギャップは、ダウンリンクキャリア上に構成され、アップリンクキャリア上には構成されない、実施形態１３のＷＴＲＵ。
【００８１】
実施形態１５。測定ギャップは、ペアをなさないダウンリンクキャリア上に構成され、ペアをなすダウンリンクキャリア上には構成されない、実施形態１３のＷＴＲＵ。
【００８２】
実施形態１６。測定ギャップは、関連付けられたダウンリンクアップリンクキャリアペアのサブセット上に構成される、実施形態１３のＷＴＲＵ。
【００８３】
実施形態１７。プロセッサは、周波数間測定および／またはＲＡＴ間測定についてのトリガ条件が満たされているかどうかを判定し、トリガ条件が満たされ、少なくとも１つの受信機が非アクティブである場合、自律的に周波数間測定および／またはＲＡＴ間測定を実行するように構成される、実施形態１１のＷＴＲＵ。
【００８４】
実施形態１８。プロセッサは、キャリアに対するアクティベーション命令を受け取った後、さらなる非アクティブな受信機が存在しない条件で、または、さらなる非アクティブな受信機が活動化を命令されたキャリア上で動作することが可能でない条件で、活動化を命令されたキャリア上での自律的な周波数間測定／ＲＡＴ間測定を停止し、活動化を命令されたキャリア上でのダウンリンク受信および／またはアップリンク送信を活動化し、測定ギャップを用いて、周波数間測定および／またはＲＡＴ間測定を実行するように構成される、実施形態１７のＷＴＲＵ。
【００８５】
実施形態１９。プロセッサは、さらなる非アクティブな受信機が活動化を命令されたキャリア上で動作することが可能であり、トリガ条件がまだ満たされている条件で、活動化を命令されたキャリア上での自律的な周波数間測定および／またはＲＡＴ間測定を停止し、活動化を命令されたキャリア上でのダウンリンク受信および／またはアップリンク送信を活動化し、さらなる非アクティブな受信機を用いて、測定ギャップを用いずに、自律的な周波数間測定および／またはＲＡＴ間測定を続行するように構成される、実施形態１８のＷＴＲＵ。
【００８６】
実施形態２０。周波数間測定および／または無線アクセス技術（ＲＡＴ）間測定を実行するための、マルチ受信機無線送受信ユニット（ＷＴＲＵ）であって、
同時に少なくとも２つのダウンリンクキャリアを介して受信するように構成された送受信機と、
ホームノードＢ（ＨＮＢ）／進化型ＨＮＢ（ｅＨＮＢ）セルを検出し、その識別情報がリスト内に存在する検出されたＨＮＢ／ｅＨＮＢセルの付近にＷＴＲＵが所在する条件で、近接通知を送信し、自律的なギャップを構成している間に、検出されたＨＮＢ／ｅＨＮＢセルの周波数キャリアまたはＲＡＴ上で周波数間測定および／またはＲＡＴ間測定を実行するように構成されるプロセッサと
を備えるＷＴＲＵ。
【産業上の利用可能性】
【００８７】
本発明は、無線通信に利用することができる。
【符号の説明】
【００８８】
１０２ａ、１０２ｂ、１０２ｃ、１０２ｄ  ＷＴＲＵ
１０４  ＲＡＮ
１０６  コアネットワーク
１０８  ＰＳＴＮ
１１０  インターネット
１１４ａ、１１４ｂ  基地局
１１８  プロセッサ
１２０  送受信機
１２２  アンテナ
１４０ａ、１４０ｂ、１４０ｃ  ノードＢ
【図１Ａ】
2014207691.tif 000003
【図１Ｂ】
2014207691.tif 000004
【図１Ｃ】
2014207691.tif 000005
【図２】
2014207691.tif 000006
【図３】
2014207691.tif 000007
【図４】
2014207691.tif 000008
【図５Ａ】
2014207691.tif 000009
【図５Ｂ】
2014207691.tif 000010
【図６Ａ】
2014207691.tif 000011
【図６Ｂ】
2014207691.tif 000012
【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
マルチ受信機無線送受信ユニット（ＷＴＲＵ）において実施される、周波数間測定および／または無線アクセス技術（ＲＡＴ）間測定を実行するための方法において、
物理層においてキャリアの活動化状態に基づいて、周波数間測定および／またはＲＡＴ間測定のために、非アクティブな受信機、または、測定ギャップのいずれを使用するかを判定するステップと、
前記判定に基づいて、非アクティブな受信機または測定ギャップのいずれかを使用して、周波数間測定および／またはＲＡＴ間測定を実行するステップ
を備えることを特徴とする方法。
【請求項２】
前記周波数間測定および／またはＲＡＴ間測定は、少なくとも１つの非アクティブの受信機が利用可能である条件で、測定ギャップを設定することなしに非アクティブの受信機を使用して実行されることを特徴とする請求項１に記載の方法。
【請求項３】
前記周波数間測定および／またはＲＡＴ間測定は、ＷＴＲＵによって自律的にスケジュールされることを特徴とする請求項１に記載の方法。
【請求項４】
無効にされたキャリア上で測定命令を受信するステップであって、前記周波数間測定および／またはＲＡＴ間測定は、前記物理層において前記無効にされたキャリアの状態を無効のままに維持しながら、測定ギャップなしに前記無効にされたキャリア上で非アクティブな受信機を使用して実行される、ステップ
をさらに備えることを特徴とする請求項１に記載の方法。
【請求項５】
前記周波数間測定および／またはＲＡＴ間測定は、利用可能な非アクティブの受信機がない条件で、測定ギャップ使用して実行されることを特徴とする請求項１に記載の方法。
【請求項６】
前記測定ギャップは、ダウンリンクキャリア上に構成され、アップリンクキャリア上には構成されないことを特徴とする請求項５に記載の方法。
【請求項７】
前記測定ギャップは、ペアをなさないダウンリンクキャリア上に構成され、ペアをなすダウンリンクキャリア上には構成されないことを特徴とする請求項５に記載の方法。
【請求項８】
前記測定ギャップは、関連付けられたダウンリンクアップリンクキャリアペアのサブセット上に構成されることを特徴とする請求項５に記載の方法。
【請求項９】
前記周波数間測定および／またはＲＡＴ間測定のためのトリガ条件が満たされているかどうかを判定するステップであって、前記トリガ条件が満たされる条件で、前記周波数間測定および／またはＲＡＴ間測定が実行されるステップ
をさらに備えることを特徴とする請求項１に記載の方法。
【請求項１０】
ホームノードＢ（ＨＮＢ）セルまたはホーム進化型ノードＢ（ｅＨＮＢ）セルを検出するステップと、
前記検出されたＨＮＢセルまたはｅＨＮＢセルの識別が、前記ＷＴＲＵがネットワークから受信したリストの中にある条件で、近接表示を送るステップと、
前記検出されたＨＮＢセルもしくはｅＨＮＢセルの周波数キャリアまたはＲＡＴ上で、前記周波数間測定および／またはＲＡＴ間測定を実行するステップと
をさらに備えることを特徴とする請求項１に記載の方法。
【請求項１１】
周波数間測定および／または無線アクセス技術（ＲＡＴ）間測定を実行するための、マルチ受信機無線送受信ユニット（ＷＴＲＵ）において、
同時に、少なくとも２つのダウンリンクキャリアを介して受信するように構成された送受信機と、
物理層においてキャリアの活動化状態に基づいて、周波数間測定および／またはＲＡＴ間測定のために、非アクティブな受信機、または、測定ギャップのいずれを使用するかを判定し、並びに、前記判定に基づいて、非アクティブな受信機または測定ギャップのいずれかを使用して、周波数間測定および／またはＲＡＴ間測定を実行するよう構成されたプロセッサと
を備えたことを特徴とするＷＴＲＵ。
【請求項１２】
前記プロセッサは、少なくとも１つの非アクティブの受信機が利用可能である条件で、測定ギャップを設定することなしに非アクティブの受信機を使用して前記周波数間測定および／またはＲＡＴ間測定を実行するよう構成されたことを特徴とする請求項１１に記載のＷＴＲＵ。
【請求項１３】
前記プロセッサは、前記周波数間測定および／またはＲＡＴ間測定を自律的にスケジュールするよう構成されたことを特徴とする請求項１１に記載のＷＴＲＵ。
【請求項１４】
前記プロセッサは、無効にされたキャリア上で測定命令を受信し、並びに、前記物理層において前記無効にされたキャリアの状態を無効のままに維持しながら、測定ギャップなしに前記無効にされたキャリア上で非アクティブな受信機を使用して前記周波数間測定および／またはＲＡＴ間測定を実行するよう構成されたことを特徴とする請求項１１に記載のＷＴＲＵ。
【請求項１５】
前記プロセッサは、利用可能な非アクティブの受信機がない条件で、測定ギャップ使用して前記周波数間測定および／またはＲＡＴ間測定を実行するよう構成されたことを特徴とする請求項１１に記載のＷＴＲＵ。
【請求項１６】
前記測定ギャップは、ダウンリンクキャリア上に構成され、アップリンクキャリア上には構成されないことを特徴とする請求項１５に記載のＷＴＲＵ。
【請求項１７】
前記測定ギャップは、ペアをなさないダウンリンクキャリア上に構成され、ペアをなすダウンリンクキャリア上には構成されないことを特徴とする請求項１５に記載のＷＴＲＵ。
【請求項１８】
前記測定ギャップは、関連付けられたダウンリンクアップリンクキャリアペアのサブセット上に構成されることを特徴とする請求項１５に記載のＷＴＲＵ。
【請求項１９】
前記プロセッサは、前記周波数間測定および／またはＲＡＴ間測定のためのトリガ条件が満たされているかどうかを判定し、並びに、前記トリガ条件が満たされた条件で、前記周波数間測定および／またはＲＡＴ間測定を実行するよう構成されたことを特徴とする請求項１１に記載のＷＴＲＵ。
【請求項２０】
前記プロセッサは、ホームノードＢ（ＨＮＢ）セルまたはホーム進化型ノードＢ（ｅＨＮＢ）セルを検出し、前記検出されたＨＮＢセルまたはｅＨＮＢセルの識別が、前記ＷＴＲＵがネットワークから受信したリストの中にある条件で、近接表示を送り、並びに、前記検出されたＨＮＢセルまたはｅＨＮＢセルの周波数キャリアまたはＲＡＴ上で前記周波数間測定および／またはＲＡＴ間測定を実行するよう構成されたことを特徴とする請求項１１に記載のＷＴＲＵ。
【請求項２１】
マルチ受信機無線送受信ユニット（ＷＴＲＵ）において実施される、周波数間測定および／または無線アクセス技術（ＲＡＴ）間測定を実行するための方法において、
ホームノードＢ（ＨＮＢ）セル／進化型ＨＮＢ（ｅＨＮＢ）セルを検出するステップと、
前記ＷＴＲＵが、その識別がリストの中にある前記検出されたＨＮＢ／ｅＨＮＢセルの近くにある条件で、近接表示を送るステップと、
前記ＷＴＲＵによってスケジュールされた自律的ギャップを構成している間に、前記検出されたＨＮＢ／ｅＨＮＢセルの周波数キャリアまたはＲＡＴ上で周波数間測定および／またはＲＡＴ間測定を実行するステップと
を備えることを特徴とする方法。
【請求項２２】
周波数間測定および／または無線アクセス技術（ＲＡＴ）間測定を実行するための、マルチ受信機無線送受信ユニット（ＷＴＲＵ）において、
同時に、少なくとも２つのダウンリンクキャリアを介して受信するように構成された送受信機と、
ホームノードＢ（ＨＮＢ）セル／進化型ＨＮＢ（ｅＨＮＢ）セルを検出し、その識別がリストの中にある前記検出されたＨＮＢ／ｅＨＮＢセルの近くにある条件で、近接表示を送り、並びに、前記ＷＴＲＵによってスケジュールされた自律的ギャップを構成している間に、前記検出されたＨＮＢ／ｅＨＮＢセルの周波数キャリアまたはＲＡＴ上で周波数間測定および／またはＲＡＴ間測定を実行するよう構成されたプロセッサと
を備えたことを特徴とするＷＴＲＵ。